(57)【特許請求の範囲】
【請求項１】
作動体をラッチするとともに、操作部の操作を通じてそのラッチ解除を行い得るようにしたものであって、
単一の部材から構成した前記操作部を、基端側に設けた取付軸まわりに回転可能に支持し、操作窓を閉止する位置と、この操作窓から退避して操作窓を開成する押し込み位置との間で移動可能として、押し込み位置でラッチ解除されるように構成するとともに、開成した操作窓の内側に、指を掛けることによって作動体を目的位置へ移動させる操作力を付与し得る指掛け部を設けてなり、
取付軸を、操作窓を形成し作動体の前面板とほぼ面一な枠体の外側に設定し、操作部の回転基端側をその取付軸にまで持ち出して支持させ、
操作窓に複数の指が挿入可能であり、
操作部と別体をなすフック爪が、その回転軸の中心を操作部の前記取付軸の中心に合致させ、操作部の回動に伴って一体回転するものであり、
ラッチ位置から外れる方向の押し付け力を作動体に対して及ぼす押し付け機構を設け、当該押し付け機構が、前記作動体に設けられ且つ作動体の厚み寸法内で前後方向に伸縮しうるバネ部材と、当該バネ部材により後方に押し付けられた状態で配置される突没子とを備えたものであり、
操作部が押し込み位置から通常位置へ戻る方向に弾性的に押し付けられているとともに、操作部を戻す方向へ押し付ける弾性力に対して、押し付け機構が作動体を開成方向へ押し付ける弾性力を相対的に大きく設定していることを特徴とするラッチ装置。
【請求項２】
指掛け部が、操作窓における反取付軸側の縁部に設定されていることを特徴とする請求項１記載のラッチ装置。
【請求項３】
取付軸を、操作部よりも押し込み側へ変位した位置に設定していることを特徴とする請求項１又は２記載のラッチ装置。
【請求項４】
押し付け機構による押し付け方向が、ラッチ解除した作動体を目的位置に向かって移動させる際の移動開始方向にほぼ合致させてあることを特徴とする請求項１、２又は３記載のラッチ装置。
【請求項５】
ラッチ解除された作動体は、押し付け機構によってラッチ位置から変位したラッチからの拘束を受けない位置にまで移動するように構成していることを特徴とする請求項１、２、３又は４記載のラッチ装置。
【請求項６】
操作部が、通常位置をそれが設けられている作動体の前面板とほぼ面一な位置に設定されていることを特徴とする請求項１、２、３、４又は５記載のラッチ装置。
【請求項７】
作動体が、開口を開閉する位置に設けられて、閉位置でラッチされ、ラッチ解除状態で開口を開成する位置にまで移動し得るものであることを特徴とする請求項１、２、３、４、５又は６記載のラッチ装置。
【発明の詳細な説明】
【０００１】
【発明の属する技術分野】
本発明は、引き出しや扉を所定の閉止位置に保持する装置として利用可能なものであって、そのラッチ解除操作に係る操作性の向上を図ったラッチ装置に関するものである。
【０００２】
【従来の技術】
従来より、例えば引き出しや扉等の作動体を家具本体の開口を閉止する位置に保持する手段として、ラッチ装置が用いられている。
【０００３】
かかる従来のラッチ装置は、一般に、作動体側に操作部及びこの操作部の操作によって動作するフック爪を付帯させるとともに、家具本体の対応位置にこのフック爪が係わり合う爪挿入部を設けて構成される。そして、作動体が閉止位置にあるときにフック爪を爪挿入部に係わり合わせて作動体を閉止位置に保持し、操作部が操作されるとフック爪を作動させて爪挿入部から離合させ、これにより作動体のラッチ状態を解除して、作動体が開口を開成する位置にまで移動する動作を許容するようにしている。
【０００４】
【発明が解決しようとする課題】
ところで、このようなものは、ラッチ解除状態を保って、再度ラッチ状態に引き込まれないために、作動体を所要位置にまで移動させる必要がある。この場合、ラッチ解除操作と、その後の作動体の移動操作とを一連の動作を通じて行い得るように構成しておくことが望ましい。
【０００５】
しかしながら、従来のものは、引き出しにおけるラッチ装置等に見られるように、ラッチ解除するための操作部が同時に引き出し等の作動体を引き出すための操作部であるような兼用構造が採用されているのが通例である。このため、両機能を実現する上で操作部の形状や配置等に制約が多くなり、平易で確実なラッチ解除操作と、平易で確実な作動体の移動操作とを好適に両立することが困難となっている。例えば、引き出しを引き出すときに取手部分の指掛かりが浅くなったり、指を掛ける角度が不適当となったり、指を掛けた状態で取手部分がぐらついて不安定になる等の不都合が実際問題として存在する。
【０００６】
本発明は、上記のような不都合に鑑みてなされたものであって、ラッチ解除操作及びその後の作動体の移動操作を一連の動作を通じて行い得るように構成し、しかも、各々の操作に必要な機能を極力独立に追求して、操作の平易性と確実性を確保し得るようにした新規有用なラッチ装置を提供しようとするものである。
【０００７】
【課題を解決するための手段】
上記の問題点を解決するために、本発明は、次のような構成を採用したものである。
【０００８】
すなわち、本発明は、作動体をラッチするとともに、操作部の操作を通じてそのラッチ解除を行い得るようにしたものであって、単一の部材から構成した前記操作部を、基端側に設けた取付軸まわりに回転可能に支持し、操作窓を閉止する位置と、この操作窓から退避して操作窓を開成する押し込み位置との間で移動可能として、押し込み位置でラッチ解除されるように構成するとともに、開成した操作窓の内側に、指を掛けることによって作動体を目的位置へ移動させる操作力を付与し得る指掛け部を設けてなり、取付軸を、操作窓を形成し作動体の前面板とほぼ面一な枠体の外側に設定し、操作部の回転基端側をその取付軸にまで持ち出して支持させ、操作窓に複数の指が挿入可能であり、操作部と別体をなすフック爪が、その回転軸の中心を操作部の前記取付軸の中心に合致させ、操作部の回動に伴って一体回転するものであり、ラッチ位置から外れる方向の押し付け力を作動体に対して及ぼす押し付け機構を設け、当該押し付け機構が、前記作動体に設けられ且つ作動体の厚み寸法内で前後方向に伸縮しうるバネ部材と、当該バネ部材により後方に押し付けられた状態で配置される突没子とを備えたものであり、操作部が押し込み位置から通常位置へ戻る方向に弾性的に押し付けられているとともに、操作部を戻す方向へ押し付ける弾性力に対して、押し付け機構が作動体を開成方向へ押し付ける弾性力を相対的に大きく設定していることを特徴とする。
【０００９】
この場合の作動体の移動方向は、操作部の押し込み方向と逆方向の引き出し方向に設定してもよく、押し込み方向と直交する左右方向、或いは上下方向に設定してもよい。
【００１０】
このような構成のものであれば、操作部を押し込むことによってラッチ状態を解除し、その解除状態を保ちつつ、操作窓の指掛け部に指を掛けて、作動体に目的位置に向かう移動力を付与することができる。このため、ラッチ解除から作動体の移動までの操作を一連の動作の下に有効に行うことができる。しかも、ラッチ解除のための操作部と指掛け部とは機能的に分離しており、各々の形状や位置設定等を別個に規定することができるので、ラッチ解除が平易かつ確実となり、しかも指掛け部への操作力の入力が平易かつ確実となるような態様を有効に追求することができる。その上、操作部は取付軸回りの回転動作を通じて作動するものであるため、例えばスライド式等に比べて動作が安定で、構造的な簡素化も図ることができる。
【００１１】
指掛け部は、開成した操作窓の一部であって操作可能な部位であれば場所は問わないが、操作部を操作する動作と、指掛け部に指を掛ける動作とを好適に両立させるためには、該指掛け部を操作窓における反取付軸側の縁部に設定して、指の背（爪側）で操作部を押し込み、指の腹で指掛け部を操作し得る態様を選択することが好ましい。
【００１２】
取付軸の取付位置は、例えば、操作窓が枠体によって形成される場合にはその枠体内に設定するのが構造的には簡便であるが、回転動作によっても十分な操作空間を確保できるようにするためには、取付軸を、操作窓を形成する枠体の外側に設定し、操作部の回転基端側をその取付軸にまで持ち出して支持して、回転半径が極力大きくなるように構成しておくことが望ましい。
【００１３】
同様に、当該取付軸は、操作部の直近下方とすることが取付軸を取り付け易くする上では簡便であるが、操作空間の確保のためには、取付軸を操作部よりも押し込み側へ変位した位置に設定し、操作部が一旦後上方へ回転した後、引き続き後下方へ回転するような回転領域を利用することが有効である。
【００１４】
ラッチ解除後の作動体の移動力は、専ら指掛け部に付与される操作力にのみ頼ることもできるが、ラッチ解除に係る操作力の持続を不要にして、指が不自由な状態にある者等にも操作可能とするためには、ラッチ位置から外れる方向の押し付け力を作動体に対して及ぼす押し付け機構を設けて、ラッチ解除操作後はラッチに拘束されずに、また指掛け部以外の部位を操作しても作動体を移動できるようにしておくことが望ましい。この押し付け機構は、作動体に設けてもよいし、作動体が取り付けられる家具等の本体側に設けてもよい。
【００１５】
その押し付け機構は、作動体をラッチ位置から外すことができるものであれば基本的に押し付け方向は問わないが、ラッチ解除後の作動体の円滑な移動を確保するためには、押し付け方向を、ラッチ解除した作動体を目的位置に向かって移動させる際の移動開始方向にほぼ合致させておくことが好ましい。
【００１６】
作動体が、操作部とほぼ同一方向へ押し込むことによってラッチされるものである場合等には、操作部への操作が作動体の動作を妨げることにもなりかねないが、このような不都合を回避するためには、ラッチ解除された作動体は、ラッチ位置から変位した位置から再度押し込まない限りラッチされないように構成しておくことが有効となる。
【００１７】
操作部のリセットを確実にして反復操作に的確に対応するためには、操作部を押し込み位置から通常位置へ戻る方向に弾性的に押し付けておくことが望ましい。
【００１８】
指が不自由な状態にあってもラッチ解除を的確に行えるようにし、且つそのための構成が家具の外観を損ねないようにするためには、操作部が、通常位置をそれが設けられている家具の前面板とほぼ面一な位置に設定され、押し込むことによってラッチ解除されるようにしておくことが好ましい。
【００１９】
本発明は、以上のような構成であるから、作動体が、開口を開閉する位置に設けられて、閉位置でラッチされ、ラッチ解除状態で開口を開成する位置にまで移動し得るように構成された家具や建具その他の対象物に適用して有用なものとなり得る。
【００２０】
【発明の実施の形態】
以下、本発明の一実施形態を、図面を参照して説明する。
【００２１】
図１に、本発明のラッチ装置３を適用したキャビネットを示す。このキャビネットは、前面側に開口を有する箱状のキャビネット本体１と、このキャビネット本体１の開口を開閉する位置に左右に対をなして設けられた作動体たる観音開き式の扉２a、２ｂとを具備している。ラッチ装置３は、左右の扉２a、２ｂのうち右側の扉２ａに適用されているもので、この実施形態における左側の扉２ｂは閉止位置においてその上から右側の扉２ａの縁部をオーバーラップさせることにより開成動作が禁止され、右側の扉２ａは本発明のラッチ装置３が働くことにより当該閉止位置にラッチされるものである。そして、ラッチ装置３の構成要素である図２に示す操作部４を操作することによって、そのラッチ解除を行い得るようにしている。
【００２２】
具体的に説明すると、ラッチ装置３は、先ず扉２をラッチ状態に引き込むための構成として、図３及び図４に示すように、回転軸５と、フック爪６と、爪挿入部７とを具備している。回転軸５は、扉２の反吊元側の縁部近傍に鉛直方向に沿って回転可能に配置され、その一部に設けたねじりコイル式のバネ要素８に回転位相に応じた弾性力を蓄積するものである。フック爪６は、基端部６ａを回転軸５の上下両端に一体的に回転し得るように取り付けた平面視ほぼＬ字形をなすもので、先端部６ｂを後方に向けて突出させている。一方、爪挿入部７は、キャビネット本体１の頂壁１ａ近傍及び底壁１ｂ近傍に設けた鉛直面１ｘ（図１等参照）に形成されているスリット状又は切欠状のものである。フック爪６との関係は、当該フック爪６が右側の扉２ａに対してほぼ法線方向へ突出する姿勢を基準姿勢とし、この基準姿勢から前記回転軸５回りに所定角度回転した姿勢にあるときにフック爪６の先端部６ｂの出入りを許容し、当該先端部６ｂが進入した状態で回転軸５がフック爪６を基準姿勢に戻す方向に所定角度回転することによって、先端部６ｂを爪挿入部７の開口縁７ａに係わり合わせることができるものである。前記バネ要素８は、フック爪６を基準姿勢に復帰させる方向の弾性力を蓄積する。したがって、扉２を閉止動作させると、フック爪６は、前方から爪挿入部７に近づき、経過的に回転軸５とともに回転して基準姿勢から姿勢を変えながら爪挿入部７に先端部６ｂを進入させ、しかる後、基準姿勢に戻って爪挿入部７に嵌まり合うことができる。
【００２３】
これに対して、前記ラッチ装置３は、右側の扉２ａのラッチ状態を解除するための構成として、操作部４と、押し付け機構１０とを具備している。操作部４は、図２（Ａ）に示すように、内側にほぼ正方形の操作窓４ｂを形成する枠体４ａの内側に配置された板状のもので、枠体４ａと共に右側の扉２ａの前面板の反吊元側の縁部近傍に装着されている。この操作部４は、図２（Ｂ）に示すように、基端側に設けた取付軸２３まわりに回転可能に支持され、操作窓４ｂを閉止する位置と、この操作窓４ｂから退避して操作窓４ｂを開成する押し込み位置との間で移動可能とされたもので、閉止位置においてその前面を右側の扉２ａの前面板とほぼ面一とする位置に配置されている。取付軸２３は、操作窓４ｂを形成する枠体４ａの外側に設定されているもので、操作部４の回転基端側を枠体４ａの一部に設けたスリット４aｘを貫通して取付軸２３にまで持ち出し、この位置において該操作部４を取付軸２３に一体回転可能に支持させている。
【００２４】
また、これと同時に、取付軸２３の前後方向位置は、操作部４の直近下方から押し込み側へ若干変位した位置に設定されている。取付軸２３と前記回転軸５とは互いに中心が合致させてあり、両者は相互に連結されるか、若しくは回転軸５の一部を取付軸２３として機能させるかによって、一体回転し得る状態が確保されている。
【００２５】
すなわち、回転軸５は上記のようにフック爪６を基準姿勢に位置づける方向に弾性付勢されており、外力を加えなければ操作部４は前方へ付勢されて前面が右側の扉２ａの前面板とほぼ面一となる通常位置に位置づけられる。
【００２６】
そして、この操作部４を取付軸２３まわりに回転させつつ押し込むと、回転軸５が平面視時計回りに回転駆動して、フック爪６を先端部６ｂが爪挿入部７に対して出入り可能な位置にまで回転させ得るようにしている。なお、操作部４には、必要に応じてそれを通常位置に確実に復帰させるためのオフセットバネが設けられる（図示省略）。
【００２７】
また、この実施形態は、開成した操作窓４ｂの内側に、図７等に示すように指を掛けることによって作動体を目的位置へ移動させる操作力を付与し得る指掛け部２２を設けている。この指掛け部２２は、操作窓４ｂを形成する枠体４ａの内縁部に設定されているもので、この縁部には、操作窓４ｂを包囲する縁部のうち、前記取付軸２３とは反対側に位置する縁部が選定されている。
【００２８】
また、押し付け機構１０は、図５に示すように、扉２の背面の適宜箇所（好ましくは反吊元側の縁部近傍）に基端を支持させて前後方向に伸縮し得るように配置したバネ部材１６と、このバネ部材１６により後方に押し付けられた状態で配置された突没子１７とを具備し、この突没子１７の先端に形成した当て板１７aを閉止時にキャビネット本体１の反吊元側の鉛直面１ｘに押し当てて配置したものである。そして、操作部４を通じて引き出しがラッチ解除されたときに、押し付け機構１０を通じて扉２を、その押し付け反力によってラッチ位置である閉止位置から前方へ変位した位置にまで弾性により移動させ得るようにしている。
【００２９】
以上のようにして、本実施形態のラッチ装置３は、ラッチ解除操作用の操作部４を、基端側に設けた取付軸２３まわりに回転可能に支持し、これにより操作部４を、操作窓４ｂを閉止する位置と、この操作窓４ｂから退避して操作窓４ｂを開成する押し込み位置との間で移動可能として、押し込み位置でラッチ解除されるように構成している。そして、開成した操作窓４ｂの一部に、指を掛けることによって作動体を目的位置へ移動させる操作力を付与し得る指掛け部２２を設けたものである。
【００３０】
したがって、操作窓４を指により押し込むことによってラッチ状態を解除し、その解除状態を保ったまま、枠体４ａの指掛け部２２に指を掛けて、扉２aに目的位置に向かう移動力を付与することができる。このため、ラッチ解除から扉２aの移動までの操作をプッシュ、プルのワンアクションで有効に行うことができ、無駄な操作を排除することができる。しかも、ラッチ解除のための操作部４と指掛け部２２とは機能的に分離しており、操作部４に対してはラッチ解除し易い形状や位置、取付軸２３の設定ができ、指掛け部２２に対しては枠体４ａの堅牢な部分を利用して所要の指掛けしろを確保することができるので、ラッチ解除が平易かつ確実であり、しかも指掛け部２２への操作力の入力が平易かつ確実となるような態様を有効に追求することが可能となる。その際、操作部４は取付軸２３回りの回転動作を通じて作動するものであるため、例えばスライド式等に比べて動作が安定で、構造的な簡素化も図れ、長期に亘って安定した作動を確保することができる。
【００３１】
また、指掛け部２２を操作窓４ｂにおける取付軸２３とは反対側の縁部に設定しており、図７に示すように、指の背（爪側）で操作部４を押し込み、指の腹で指掛け部２２を操作し得る態様で操作することができるので、操作部４を操作する動作と、指掛け部２２に指を掛ける動作とを同時進行する上で適したものとなり得る。
【００３２】
特に、この実施形態では、取付軸２３を、操作窓４ｂを形成する枠体４ａの外側に設定し、操作部４の回転基端側をその取付軸２３にまで持ち出して支持しているため、枠体４ａ内に取付軸２３を配置するようなものに比べて、回転半径を極力大きくとって操作部４の動作を平行移動に近づけることができ、これにより十分な操作空間を確保して操作性の向上を図ることができる。
【００３３】
同様に、取付軸２３を操作部４よりも押し込み側へ変位した位置に設定しており、操作部４が押し込まれるときに、操作部４に一旦後上方へ回転した後、引き続き後下方へ回転するような動作を行わせることができるため、操作部４の直近下方に設定するようなものに比べて、操作部４の操作をより平行移動に近づけ、操作空間の確保を実効あらしめることができる。
【００３４】
また、本実施形態のラッチ装置３は、扉２aにラッチ位置から外れる方向の力を及ぼす押し付け機構１０を設けており、操作部４によりラッチ解除されたときに、押し付け機構１０を通じて扉２aを図６に示すようにラッチ位置から前方へ変位した位置にまで移動させることができる。
【００３５】
すなわち、操作部４を操作してラッチ解除すると、扉２が押し付け機構１０によってラッチ位置から変位した、ラッチからの拘束を受けない位置にまで移動され、途中で不慮に手を離しても再度ラッチ状態に引き込まれることがなく、ラッチ解除操作した後は、作動体を目的位置に移動させるための操作を適時行うことができる。
【００３６】
したがって、体の一部、例えば肘や尻部、つま先などを使って扉２を開けることができ、手が塞がっている場合や、指が不自由な状態にあるとき等にも、扉２を開成させるために必要な操作を的確に行うことが可能になる。
【００３７】
なお、ラッチ解除後に操作し易いものにマグネットキャッチ等があるが、本実施形態はラッチ状態で操作部４を操作しない限り解除され得ないものであり、地震等によって不慮に外れる恐れがない点で本質的に異なるものである。
【００３８】
特に、押し付け機構１０による押し付け方向が、ラッチ解除した扉２の開成方向に向かう移動開始方向にほぼ合致しており、図６に示すように、右側の扉２ａが左側の扉２ｂよりもある程度前方へ突出した位置に移動するため、右側の扉２ａの側縁や上縁、下縁が開放されて、操作容易な状況が容易に作り出せることになる。
【００３９】
さらに、操作部４を、右側の扉２ａの前面板の前面とほぼ面一なる位置に設け、押し込むことによってラッチ解除を行い得るようにしているため、指で引き出すような操作に比べて指以外の部位、例えば手の甲や肘等を使ってもラッチ解除を的確に行うことができ、且つ扉２ａの面一性を極力維持してキャビネットの外観を損ねないように配慮しつつ、操作部４を操作に適した位置に有効に配置することができる。
【００４０】
本実施形態のラッチ装置３は、以上のような構成であるから、物品の出し入れが比較的に頻繁に行われるもの、すなわち、開口を開閉する位置に設けられて、閉位置でラッチされ、ラッチ解除状態で開口を開成する位置にまで移動し得るように構成された扉、ドア、引き戸、開き戸、棚、シャッターなどを有する家具や建具に適用して有用なものとなり得る。
【００４１】
そのうちの他の適用例として、図８に本発明を引き出し式のキャビネット１８に適用したものを示す。このキャビネットは、作動体である引き出し１９をキャビネット本体に上下に複数段の組にして設けているもので、本発明のラッチ装置３によって引き出し１９をラッチするとともに、操作部４の操作を通じてそのラッチ解除を行い得るようにしたものである。
【００４２】
ラッチ装置３は、引き出し１９をラッチするための構造として、引き出し１９に幅方向に沿って配置された回転軸５と、この回転軸５の両端に取り付けられたフック爪６と、このフック爪６の対応箇所においてラック本体に設けられたピン２０とを備えている。回転軸５は上記実施形態と同様にフック爪６がピン２０に嵌まり合う方向に弾性付勢されている。
【００４３】
一方、引き出し１９のラッチ解除を行うための構造としては、上記実施形態と同様の操作部４と、上記実施形態と同様の押し付け機構１０とからなる。
【００４４】
このような構成によっても、ラッチ解除操作後に引き出しを前方へ引き出すという操作をワンアクションで確実に行うことができ、他にも、上記実施形態と同様に構成することによって上記に準じた作用効果を得ることができる。この場合、フック爪を鉛直軸回りに作動してピンに係合し得るような配置とし、回転軸の回転力をそのフック爪に伝達し得るように動作変換機構を構成しても、同様の作用効果を得ることができる。
【００４５】
なお、各部の具体的な構成は、上述した実施形態のみに限定されるものではない。
【００４６】
例えば、操作部４を、操作位置から通常位置へ戻る方向へオフセット用のバネによって弾性的に押し付け、操作前後で操作部４が背反的に動作して待機状態に復帰するように構成すれば、簡易な構成を通じて、操作部４を反復操作可能な状態に有効にリセットすることができる。
【００４７】
また、上記実施形態の扉２は、操作部４とほぼ同一方向へ押し込むことによってラッチされ、操作部４を押し込み操作しているときのみラッチ解除されるものであり、操作部４への押し込み操作が扉２の移動を妨げる可能性がある。そこで、操作部４を戻す方向へ押し付ける弾性力に対して、押し付け機構１０が作動体を開成方向へ押し付ける弾性力を相対的に大きく設定して、操作部４が戻る動作に対して作動体が移動する動作が先行して引き起こされるようにしておくことが有効となる。
【００４８】
勿論、ラッチ解除された作動体が、ラッチ位置から変位した位置から再度押し込まない限りラッチされないように構成しておくことも有効である。
【００４９】
その他の構成も、本発明の趣旨を逸脱しない範囲で種々変形が可能である。
【００５０】
【発明の効果】
本発明は、以上説明したような形態で実施され、以下に記載される効果を奏する。
【００５１】
すなわち、本発明のラッチ装置は、操作窓内に操作部を回転動作を通じて移動可能に配置し、操作部を押し込んで操作窓を開成させた際にラッチ解除されるように構成するとともに、開成した操作窓の一部に、指を掛けることによって作動体を目的位置へ移動させる操作力を付与し得る指掛け部を設けたものである。
【００５２】
このため、操作窓に手を差し込んでラッチ解除から作動体の移動までの操作をプッシュ、プルのワンアクションで有効に行うことができ、操作の便を有効に向上させることができる。しかも、操作部と指掛け部とが機能的に分離しているため、平易かつ確実なラッチ解除操作と、その後の平易かつ確実な移動操作とを好適に両立させることが可能となる。そのラッチ解除動作も、操作部の回転動作を利用することでガタつきの少ない、壊れ難いものにすることができる。
【００５３】
指掛け部を操作窓における反取付軸側の縁部に設定した場合には、指の背を使って操作部を押し込み、同時に指の腹を使って指掛け部を操作することができるので、極めて自然な動作で操作部の操作と指掛け部の操作とを両立させて行うことができる。
【００５４】
特に、取付軸を、操作窓を形成する枠体の外側に設定し、操作部の回転基端側をその取付軸にまで持ち出して支持しておけば、回転半径を枠体の大きさに制約されずに大きくとれるので、操作部の動作を平行移動に近づけて操作空間を有効に確保することができる。
【００５５】
同様に、取付軸を操作部よりも押し込み側へ変位した位置に設定し、操作部が押し込まれるときに、操作部に一旦後上方へ回転した後、引き続き後下方へ回転する動作を行わせるようにしても、操作部の平行移動化に寄与し、操作空間の確保を実効あらしめることができる。
【００５６】
また、ラッチ位置にある扉等の作動体を押し付け機構によってラッチ位置から外れる方向のプリロードをかけておくようにした場合には、ラッチ解除操作をした際に再度ラッチ状態に引き込まれないように作動体を移動させて、ラッチの繰り返し操作を防ぐと同時に、その後の目的位置に向かう作動体の移動操作を確実、容易なものにすることができるので、多忙なオフィスワークにおける作業の円滑化を図ることができ、手が不自由な状態にある者の日常生活における利便性の向上も有効に果たすことが可能となる。
【００５７】
特に、ラッチ解除後に作動体が移動する方向に押し付け機構による押し付け方向を設定しておけば、ラッチ解除後に作動体を移動操作する際の良好な作業環境を整えることができる。
【００５８】
さらに、一旦ラッチ解除された作動体がラッチ位置から変位した位置から再度押し込まない限りラッチされないように構成しておけば、ラッチ解除力の持続的な入力を不要にして操作に必要な力を有効に軽減することができる。
また、操作部を、弾性力を利用して繰り返し待機状態にリセットさせるように構成しておけば、反復継続して使用するための構成を簡素に実現することができると同時に、弾性を利用して柔らかい操作感を付与することもできる。
【００５９】
さらに、操作部を、作動体の前面板とほぼ面一なる位置に設け、押し込むことによってラッチ解除を行い得るようにしておけば、指以外の部位を利用してもラッチ解除操作を有効に行えるようになり、また家具等の外観を損ねずに操作に適した位置に操作部を配置することが容易となる。
【００６０】
本発明は、以上の機能を利用して、キャビネットやロッカーを始めとする各種収納家具、作り込みの収納部、ガレージ、冷蔵庫など広範囲に亘り家具や建具、住器などの利便性を有効に向上させることが可能となる。
【図面の簡単な説明】
【図１】本発明の一実施形態を適用したキャビネットを示す斜視図。
【図２】同実施形態の操作部の斜視図。
【図３】同実施形態の操作部、動作変換機構を示す平面図。
【図４】同実施形態の操作部、動作変換機構を模式的に示す平断面図。
【図５】同実施形態の押し付け機構を示す側断面図。
【図６】同実施形態の作用説明図。
【図７】同実施形態の取扱説明図。
【図８】本発明の他の実施形態を適用した引き出し式のラックを示す斜視図。
【符号の説明】
２a、２b…作動体（扉）
４…操作部
５…取付軸
４a…枠体
４ｂ…操作窓
１０…押し付け機構
２２…指掛け部
【図１】
0004255206.tif 000002
【図２】
0004255206.tif 000003
【図３】
0004255206.tif 000004
【図４】
0004255206.tif 000005
【図５】
0004255206.tif 000006
【図６】
0004255206.tif 000007
【図７】
0004255206.tif 000008
【図８】
0004255206.tif 000009